(57)【要約】【課題】着座者の下肢の側方スペースを圧迫することなく、荷重受部に入力された荷重を高い剛性をもって椅子取付部に伝達することのできる椅子用肘掛部材、及び、椅子を提供する。【解決手段】肘掛部材７は、荷重受部１６と椅子取付部１７と、両者を連結する連結部１８と、有する。連結部１８は、荷重受部１６のうちの肘載せ面１６ａの延出方向の一端寄り領域から、荷重受部１６の幅方向について荷重受部１６と略同幅で下方に延出する前部壁１８Ｂと、荷重受部１６のうちの肘載せ面１６ａの延出方向の他端寄り領域から、荷重受部１６の幅方向について荷重受部１６よりも狭い幅で下方に延出する後部壁１８Ａと、を有する。【選択図】図３
2015119873.tif 000002
【特許請求の範囲】
【請求項１】
上面に一方向に延出する肘載せ面を有する荷重受部と、
該荷重受部の下方において前記肘載せ面の延出方向と略直交する幅方向に延出する椅子取付部と、
前記荷重受部から下方に延出して前記椅子取付部に連結される連結部と、を備えた椅子用肘掛部材において、
前記連結部は、
前記荷重受部のうちの前記肘載せ面の延出方向の一端寄り領域から、前記幅方向について当該荷重受部と略同幅で下方に延出する補強壁部と、
前記荷重受部のうちの前記肘載せ面の延出方向の他端寄り領域から、前記幅方向について当該荷重受部よりも狭い幅で下方に延出する狭幅壁部と、を有することを特徴とする椅子用肘掛部材。
【請求項２】
前記狭幅壁部の前記補強壁部と離間する側の縁部は、前記荷重受部から前記椅子取付部に向かって前記補強壁部に近接する側に傾斜していることを特徴とする請求項１に記載の椅子用肘掛部材。
【請求項３】
前記狭幅壁部と前記補強壁部とは、少なくとも前記椅子取付部の近傍において相互に連結され、当該連結された部位には、前記椅子取付部の延出方向と相反する方向に凹状に窪む湾曲面が設けられていることを特徴とする請求項１または２に記載の椅子用肘掛部材。
【請求項４】
前記荷重受部と前記狭幅壁部と前記補強壁部とは、板状断面が閉ループ状に連続して形成されていることを特徴とする請求項２または３に記載の椅子用肘掛部材。
【請求項５】
前記狭幅壁部と前記補強壁部とは、前記椅子取付部に向かって幅広面の方向を変化させるように捩れて形成されるとともに、前記椅子取付部に近接する位置で相互の幅広面が連続するように連結されていることを特徴とする請求項４に記載の椅子用肘掛部材。
【請求項６】
請求項１〜５のいずれか１項に記載の椅子用肘掛部材が椅子本体に取り付けられていることを特徴とする椅子。
【請求項７】
前記肘載せ面を上に向け前記椅子取付部を前記椅子本体の座体の裏側に取り付けた状態において、前記狭幅壁部の下縁が前記椅子本体の座体の側面を包み込み、前記補強壁部の下縁が前記椅子本体の座体の側部寄りの後面を包み込むように配置されていることを特徴とする請求項６に記載の椅子。
【発明の詳細な説明】
【技術分野】
【０００１】
この発明は、椅子用肘掛部材、及び、その椅子用肘掛部材を用いる椅子に関するものである。
【背景技術】
【０００２】
事務用等として用いられる椅子として、着座者の肘から腕先を載せ置くための肘掛部材が取り付けられたものがある（例えば、特許文献１〜３参照）。
特許文献１〜３に記載の椅子で採用される椅子用肘掛部材は、上面に前後方向に延出する肘載せ面を有する荷重受部と、その荷重受部の下方から座体の裏面に沿って屈曲する椅子取付部と、荷重受部と椅子取付部を連結する連結部と、を備え、荷重受部と連結部が断面が板状で、かつ全体が閉ループ状に形成されている。この椅子用肘掛部材は、荷重受部から連結部に亘る領域が一定幅の板状に形成されているため、軽量でありながら上方からの荷重に強く、着座者が立ち上がるときに肘載せ面に腕を載せた際に体重を掛け易いというメリットがある。
【先行技術文献】
【特許文献】
【０００３】
【特許文献１】実開平０５−０１８３５４号公報
【特許文献２】特許第３１５６１１６号公報
【特許文献３】特許第３７１４５９１号公報
【発明の概要】
【発明が解決しようとする課題】
【０００４】
しかし、上記従来の椅子用肘掛部材においては、荷重受部から連結部に亘る領域が一定幅に形成されているため、上方からの荷重を高い剛性をもって椅子取付部に伝達できる利点がある反面、連結部の前縁部の内面が座体に着座した着座者の下肢に近接し、着座者の下肢の側方スペースを圧迫する可能性が高くなる。
【０００５】
そこでこの発明は、着座者の下肢の側方スペースを圧迫することなく、荷重受部に入力された荷重を高い剛性をもって椅子取付部に伝達することのできる椅子用肘掛部材、及び、その椅子用肘掛部材を用いる椅子を提供しようとするものである。
【課題を解決するための手段】
【０００６】
この発明に係る椅子用肘掛部材は、上記課題を解決するために、上面に一方向に延出する肘載せ面を有する荷重受部と、該荷重受部の下方において前記肘載せ面の延出方向と略直交する幅方向に延出する椅子取付部と、前記荷重受部から下方に延出して前記椅子取付部に連結される連結部と、を備えた椅子用肘掛部材において、前記連結部は、前記荷重受部のうちの前記肘載せ面の延出方向の一端寄り領域から、前記幅方向について当該荷重受部と略同幅で下方に延出する補強壁部と、前記荷重受部のうちの前記肘載せ面の延出方向の他端寄り領域から、前記幅方向について当該荷重受部よりも狭い幅で下方に延出する狭幅壁部と、を有する構成とした。
この構成により、荷重受部に入力された荷重は補強壁部と狭幅壁部を通して椅子取付部に伝達される。このとき、補強壁部は、荷重受部と略同幅で下方にて延出していることから、荷重受部に入力された荷重を高い剛性をもって椅子取付部に伝達することができる。一方、狭幅壁部は、荷重受部よりも狭い幅で下方に延出していることから、椅子取付部が椅子本体に取り付けられたときに、座体に着座した着座者の下肢の側方スペースを圧迫しなくなる。
【０００７】
前記狭幅壁部の前記補強壁部と離間する側の縁部は、前記荷重受部から前記椅子取付部に向かって前記補強壁部に近接する側に傾斜していることが望ましい。
この場合、椅子取付部が椅子本体に取り付けられたときに、狭幅壁部の縁部と椅子本体の座面との間に側面視が略Ｖ字となる凹部が形成され、その凹部によって着座者の下肢の側方スペースがより拡大されるようになる。
【０００８】
前記狭幅壁部と前記補強壁部とは、少なくとも前記椅子取付部の近傍において相互に連結され、当該連結された部位には、前記椅子取付部の延出方向と相反する方向に凹状に窪む湾曲面が設けられることが好ましい。
この場合、椅子用肘掛部材が椅子本体に取り付けられると、椅子用肘掛部材の凹状に窪む湾曲面が椅子本体の側面に対向することになる。これにより、椅子用肘掛部材の湾曲面に向かって座体の側部の位置を延長することが可能になる。したがって、狭幅壁部と補強壁部が連結される部位に設けられた湾曲面によって着座者の下肢の側方スペースがさらに拡大されるとともに、椅子本体の座体もより拡大できるようになる。
【０００９】
前記荷重受部と前記狭幅壁部と前記補強壁部とは、板状断面が閉ループ状に連続して形成されるようにしても良い。
この場合、軽量構造でありながら、着座者の下肢の側方スペースを圧迫することなく、荷重受部に入力された荷重を高い剛性をもって椅子取付部に伝達することが可能になる。
【００１０】
前記狭幅壁部と前記補強壁部とは、前記椅子取付部に向かって幅広面の方向を変化させるように捩れて形成されるとともに、前記椅子取付部に近接する位置で相互の幅広面が連続するように連結されることが望ましい。
この場合、駄肉の少ない連続した構造でありながら、着座者の下肢の側方スペースを圧迫することなく、荷重受部に入力された荷重を高い剛性をもって椅子取付部に伝達することが可能になる。したがって、製品の歩留まりを高めることができるとともに、さらなる軽量化を図ることが可能になる。
【００１１】
この発明に係る椅子は、上記課題を解決するために、上記のいずれかに記載の椅子用肘掛部材を椅子本体に取り付けるようにした。
【００１２】
この発明に係る椅子においては、前記肘載せ面を上に向け前記椅子取付部を前記椅子本体の座体の裏側に取り付けた状態において、前記狭幅壁部の下縁が前記椅子本体の座体の側面を包み込み、前記補強壁部の下縁が前記椅子本体の座体の側部寄りの後面を包み込むように配置されることが望ましい。
この場合、座体の側部に対向する狭幅壁部の下縁が補強壁部よりも狭幅であることと、補強壁部の下縁が座体の側部寄りの後面を包み込むように配置されていることにより、座体の側部位置及び後部位置をより延長することができる。
【発明の効果】
【００１３】
この発明によれば、連結部が、肘載せ面の延出方向の一端寄り領域から延出する補強壁部と、他端寄り領域から延出する狭幅壁部と、を有し、補強壁部が荷重受部と略同幅に形成され、狭幅壁部が荷重受部よりも狭い幅に形成されているため、着座者の下肢の側方スペースを圧迫することなく、荷重受部に入力された荷重を高い剛性をもって椅子取付部に伝達することができる。
【図面の簡単な説明】
【００１４】
【図１】この発明の一実施形態の椅子の左側面図である。
【図２】この発明の一実施形態の椅子の上面図である。
【図３】この発明の一実施形態の椅子の正面図である。
【図４】この発明の一実施形態の図１のＩＶ−ＩＶ断面に対応する断面図である。
【図５】この発明の一実施形態の図１のＶ−Ｖ断面に対応する断面図である。
【図６】この発明の一実施形態の図１のＶＩ−ＶＩ断面に対応する断面図である。
【図７】この発明の一実施形態の肘掛部材の斜視図である。
【図８】この発明の一実施形態の肘掛部材の正面図である。
【図９】この発明の一実施形態の肘掛部材の上面図である。
【発明を実施するための形態】
【００１５】
以下、この発明の実施形態を図面に基づいて説明する。なお、以下の説明においては、椅子に正規姿勢で着座した人の正面が向く図中矢印ＦＲの指す向きを「前」と呼び、それと逆側の向きを「後」と呼ぶものとする。また、「上」，「下」と「左」，「右」については、椅子に正規姿勢で着座した人の上方の図中矢印ＵＰの指す向きを「上」、それと逆側の向きを「下」と呼び、椅子１に正規姿勢で着座した人の左側の図中矢印ＬＨの指す向きを「左」、それと逆側の向きを「右」と呼ぶものとする。
【００１６】
図１は、この実施形態の椅子１の全体構成を示す側面図であり、図２は、同椅子１の上面図、図３は、同椅子１の左半部の正面図である。
これらの図に示すように、この実施形態の椅子１は、フロアＦ上に載置される脚部２と、脚部２の上端に設置されるボックス状の支基３と、着座者が着座する座体４と、支基３の上面に取り付けられ座体４を支持する座受部材５と、支基３から後部上方側に延出して座体４に着座した着座者の背中を支持する背凭れ部６と、座体４の下方の左右の座受部材５に取り付けられた椅子用肘掛部材７（以下、「肘掛部材７」と呼ぶ）と、を備えている。
なお、この実施形態においては、椅子１のうちの肘掛部材７を除く残りの部分を椅子本体１２と呼ぶものとする。
【００１７】
脚部２は、キャスタ８ａ付きの多岐脚８と、多岐脚８の中央部より起立し昇降機構であるガススプリングを内蔵する脚柱９と、を備え、脚柱９の上端部に支基３が水平方向に回転可能に取り付けられている。支基３には、脚柱９の昇降調整機構と背凭れ部６の傾動調整機構が内蔵されている。背凭れ部６は、側面視略Ｌ字状の背凭れ支持フレーム１０と、背凭れ支持フレーム１０の後上部の前面に取り付けられ座体４に着座した着座者の背中を直接支持する背凭れ本体１１と、を備え、背凭れ支持フレーム１０の前部下端が支基３内の傾動調整機構に連結されている。
【００１８】
座体４は、骨格部を成す基板１３と、基板１３の上部に取り付けられるウレタン等から成るクッション材４０（図４〜図６参照）と、クッション材４０の外側面から基板１３の外周縁部に掛けてを覆う張材１４と、を備えている。座体４は、図２に示すように、四隅が丸みを帯びた略方形状の上面視形状に形成されている。左右の肘掛部材７は、座体４の下方の前後方向の中央よりも後方側領域において、座受部材５に取り付けられている。
【００１９】
図４，図５，図６は、図１のＩＶ−ＩＶ断面、Ｖ−Ｖ断面、ＶＩ−ＶＩ断面にそれぞれ対応する断面を示す図であり、図７，図８，図９は、左側の肘掛部材７を示す図である。以下、肘掛部材７の詳細な構造について説明するが、左右の肘掛部材７は、左右対称形状であるものの基本構造は同様であるため、以下では、左側の肘掛部材７を代表として説明し、右側の肘掛部材７については説明を省略するものとする。また、以下の説明では、肘掛部材７についての上下、前後、左右の向きは、特別に断らない限り、肘掛部材７を椅子本体１２に取り付けた状態での上下、前後、左右の向きを意味するものとする。
【００２０】
この実施形態の肘掛部材７は、硬質の樹脂材料によって一体に形成され、座体４の下面側において座受部材５にボルト１５によって締結固定される。肘掛部材７は、前後方向（一方向）に延出する肘載せ面１６ａを有る荷重受部１６と、荷重受部１６の下方において側方（肘載せ面１６ａの延出方向と略直交する方向）に延出する椅子取付部１７と、荷重受部１６から下方に延出して椅子取付部１７の基端に連結される連結部１８と、を備えている。連結部１８は、荷重受部１６の後端部からほぼ鉛直下方に延出する後部壁１８Ａと、荷重受部１６の前端部から後方側に傾斜しつつ下方に延出する前部壁１８Ｂと、を備え、後部壁１８Ａと前部壁１８Ｂとが側面視で略Ｖ字形状をなすように下端部同士で相互に連結されている。後部壁１８Ａと前部壁１８Ｂは、この下端の下部連結領域１８ａにおいて椅子取付部１７の基端に接続されている。椅子取付部１７は、座体４の下面に略沿う台形状の板状片によって形成され、その先端側に座受部材５に対する取付座１７ａが設けられている。
【００２１】
この実施形態の肘掛部材７は、荷重受部１６と、下端で相互に連結された前部壁１８Ｂ及び後部壁１８Ａとが、ほぼ一定厚みの連続した帯状に形成され、全体として側面視が閉ループ形状とされている。この閉ループ形状は、荷重受部１６が略水平となり、前部壁１８Ｂと後部壁１８Ａの下端の下部連結領域１８ａで収斂する略三角のループ形状とされている。また、前部壁１８Ｂと後部壁１８Ａとは、それぞれの幅広面の方向を変化させるように座体４に臨む側の側縁部が外向きに適宜捩られた形状とされている。前部壁１８Ｂと後部壁１８Ａは、下部連結領域１８ａで板厚方向がほぼ整合する連続形状とされている。
【００２２】
ここで、連結部１８のうちの後部壁１８Ａは、荷重受部１６の後端部から板厚方向がほぼ前後方向に向く姿勢のまま下方に向かって延出し、下端の下部連結領域１８ａの近傍において、座体４に臨む側の側縁部が後方側に若干開くように捩れている。したがって、後部壁１８Ａは、上端部から下端の近傍まで荷重受部１６と略同幅とされ、下端の下部連結領域１８ａにおいて捩れ分だけ若干幅が狭まっている。この実施形態においては、荷重受部１６と略同幅の後部壁１８Ａが、上方や側方側からの荷重入力に対して剛性の高い補強壁部を構成している。
【００２３】
一方、連結部１８のうちの前部壁１８Ｂは、荷重受部１６の前端部での連接位置では板厚方向がほぼ前後方向に向いているが、上端部付近から下方に向かって座体４に臨む側の側縁部が前方側に次第に開くように（板厚方向がほぼ左右方向に向くように）捩れている。したがって、前部壁１８Ｂは、図３，図８に示すように、前方から見たときに上部付近から荷重受部１６よりも狭い幅になって椅子取付部１７に向かって延出している。この実施形態の場合、前部壁１８Ｂは下部連結領域１８ａに達する前に板厚方向が左右方向に向き、下部連結領域１８ａでは左右方向の幅が大きく狭まっている。この実施形態においては、荷重受部１６よりも幅が狭くなる前部壁１８Ｂが狭幅壁を構成している。
【００２４】
また、前部壁１８Ｂと後部壁１８Ａの下端の下部連結領域１８ａは、座体４方向に湾曲して椅子取付部１７に連続する部分であるが、この下部連結領域１８ａの座体４に臨む側には、前部壁１８Ｂと後部壁１８Ａの上述の捩れにより、左右方向の外側に（椅子取付部１７の延出方向と相反する方向に）凹状に窪む湾曲面２０が設けられている。
また、下部連結領域１８ａの略水平方向の断面は、前端部から前後方向のほぼ中央領域までは前後方向に略沿って直線状に形成されているが、前後方向の略中央領域よりも後方側は、椅子取付部１７の延出方向に向かって湾曲している。
【００２５】
肘掛部材７は、図１〜図６に示すように、椅子取付部１７が座体４の下方の座受部材５に締結固定された状態において、前部壁１８Ｂと後部壁１８Ａの下部連結領域１８ａが座体４の側面４ａと側部寄りの後面４ｂ（後コーナ部）の外側を包み込むように配置される。具体的には、下部連結領域１８ａのうちの前部壁１８Ｂの下縁部分は座体４の側面４ａの外側に配置され、下部連結領域１８ａのうちの後部壁１８Ａの下縁部分は座体４の側部寄りの後面４ｂの外側に配置される。
【００２６】
この実施形態に係る肘掛部材７は、以上のような構成であるため、座体４に着座した着座者が立ち上がるときに、肘載せ面１６ａに腕を置いて体重を掛けた際には、荷重受部１６に入力された荷重を、前部壁１８Ｂと後部壁１８Ａを通して椅子取付部１７に剛的に伝達することができる。特に、この肘掛部材７の場合、前部壁１８Ｂこそ荷重受部１６よりも幅が狭まっているものの、後部壁１８Ａは荷重受部１６と略同幅で椅子取付部１７に向かって延出しているため、荷重受部１６に入力された荷重を高い剛性をもって椅子取付部１７に伝達することができる。したがって、この肘掛部材７の取り付けられた椅子１においては、肘載せ面１６ａに加えられた着座者の荷重を椅子本体１２に安定的に支持させることができる。
【００２７】
さらに、この肘掛部材７においては、前部壁１８Ｂが荷重受部１６よりも狭い幅で椅子取付部１７に向かって延出しているため、椅子取付部１７が椅子本体１２に取り付けられた状態において、図２，図３に示すように、座体４に着座した着座者の下肢Ｌの外側の側方スペースを拡大することができる。
したがって、この実施形態に係る肘掛部材７と、肘掛部材７を採用した椅子１においては、着座者の下肢Ｌの外側の側方スペースを圧迫することなく、荷重受部１６に入力された荷重を高い剛性をもって椅子本体１２に伝達することができる。
【００２８】
また、この実施形態に係る肘掛部材７では、前部壁１８Ｂが後下方に傾斜しているため、図１に示すように、椅子本体１２に取り付けられた状態において、座体４の上面と前部壁１８Ｂとの間に、側面視で前方側に略Ｖ字状に開口する凹部が形成される。このため、ここで形成される凹部により、着座者の下肢Ｌの外側の側方スペースをより拡大することができる。
【００２９】
また、この実施形態に係る肘掛部材７の場合、前部壁１８Ｂと後部壁１８Ａの下端の下部連結領域１８ａの座体４に臨む部分に、左右方向の外側に凹状に窪む湾曲面２０が設けられているため、この湾曲面２０によって座体４に着座した着座者の下肢Ｌの側方スペースをさらに左右方向に拡大することができるとともに、椅子本体１２の座体４を肘掛部材７によって制約を受けずに左右方向により拡大することができる。即ち、肘掛部材７が椅子本体１２に取り付けられると、肘掛部材７の凹状に窪む湾曲面２０が椅子本体１２の側面に対向することになるため、座体４の側部の位置を肘掛部材７の湾曲面２０に向かって延長することが可能になる。したがって、この肘掛部材７を採用することにより、椅子１の座り心地をより高めることができる。
【００３０】
また、この実施形態の肘掛部材７は、連結部１８が前部壁１８Ｂと後部壁１８Ａによって形成され、荷重受部１６と前部壁１８Ｂと後部壁１８Ａとが、板状断面が閉ループ状に連続する形状とされているため、前部壁１８Ｂと後部壁１８Ａの間に空間部を有する軽量構造でありながら、着座者の下肢Ｌの側方スペースを圧迫することなく、荷重受部１６に入力された荷重を高い剛性をもって椅子取付部１７に伝達することができる。
【００３１】
さらに、この実施形態の場合、肘掛部材７の前部壁１８Ｂと後部壁１８Ａとが、椅子取付部１７に向かって幅広面の方向を変化させるように捩れて形成されるとともに、椅子取付部１７に近接する位置で相互の幅広面が連続するように連結されているため、駄肉の少ない連続した構造でありながら、着座者の下肢Ｌの側方スペースを圧迫することなく、荷重受部１６に入力された荷重を高い剛性をもって椅子取付部１７に伝達することができる。
したがって、この実施形態の肘掛部材７においては、製品の歩留まりを高めることができるとともに、さらなる軽量化を図ることができる。
【００３２】
また、この実施形態に係る肘掛部材７を採用した椅子１は、下部連結領域１８ａの前後方向のほぼ中央よりも前方側（前部壁１８Ｂの下縁）が椅子本体１２の座体４の側面４ａを包み込み、下部連結領域１８ａの後方側（後部壁１８Ａの下縁）が椅子本体１２の座体４の側部寄りの後面４ｂを包み込むようにして、肘掛部材７が椅子本体１２に取り付けられているため、肘掛部材７による制約を受けずに座体４を側方と後方とにより拡大することができる。即ち、肘掛部材７を採用したこの実施形態の椅子１の場合、座体４の側部に対向する前部壁１８Ｂの下縁が後部壁１８Ａよりも狭幅であり、しかも、後部壁１８Ａの下縁が座体４の側部寄りの後面を包み込むように配置されていることから、座体４の側部位置と後部位置とをより延長することができる。
【００３３】
なお、この発明は上記の実施形態に限定されるものではなく、その要旨を逸脱しない範囲で種々の設計変更が可能である。例えば、上記の実施形態においては、荷重受部と前部壁と後部壁が閉ループ状に形成されているが、荷重受部の長手方向の一端寄り領域から荷重受部と略同幅の補強壁部が延出し、荷重壁部の長手方向の他端寄り領域から荷重受部よりも幅の狭い狭幅壁部が延出する構造であれは、連結部は側面視で開口のない（閉ループ状でない）構造であっても良い。
また、上記の実施形態は、前部壁と後部壁の各幅広面が捩れた構成とされているが、前部壁や後部壁は必ずしも捩れた構成である必要がなく、板厚方向を上端から下方にかけて一定にしたまま、前部壁に幅の狭い部位を形成するようにしても良い。
【００３４】
また、肘掛部材は、以下の（ａ），（ｂ）のような構造であっても良い。
（ａ）荷重受部と、荷重受部の後端部から鉛直下方に延出する後壁部と、荷重受部の前端部から後部壁よりも短く鉛直下方に延出する前壁部と、前部壁の下端から後斜め下方に延出して後部壁の下端に連結される下部壁と、を備え、前部壁と後部壁の一方、若しくは、両方に荷重受部よりも幅の狭い部分を有するもの。
（ｂ）荷重受部と、荷重受部の後端部から鉛直下方に延出する後部壁と、荷重受部の前端部から後部壁とほぼ同長さに鉛直下方に延出する前部壁と、前後方向に延出して前部壁の下端と後部壁の下端を連結する下部壁と、を備え、前部壁に荷重受部よりも幅の狭い部分を有するもの。
【符号の説明】
【００３５】
１  椅子
４  座体
７  肘掛部材
１２  椅子本体
１６  荷重受部
１６ａ  肘載せ面
１７  椅子取付部
１８  連結部
１８Ａ  後部壁（補強壁部）
１８Ｂ  前部壁（狭幅壁部）
２０  湾曲面
【図１】
2015119873.tif 000003
【図２】
2015119873.tif 000004
【図３】
2015119873.tif 000005
【図４】
2015119873.tif 000006
【図５】
2015119873.tif 000007
【図６】
2015119873.tif 000008
【図７】
2015119873.tif 000009
【図８】
2015119873.tif 000010
【図９】
2015119873.tif 000011